(57)【要約】【課題】  本発明は、コンクリートによる平打基礎と縦基礎の厚みをそれぞれ大小数段づつに変更して打設することのできる簡易基礎打設用の金具を新規に提供するものである。【解決手段】  本発明は横長のベース金具の一側上に外側型枠の嵌立て部を設け、該ベース金具の他側上に支柱金具の挿し立て部を間隔を置いて複数個設け、該支柱金具の上半に内側型枠の取付部を設けて、平行立てする内外型枠間の間隔を広狭することと、内側型枠下の開口部の高さを高低することで、コンクリートによる平打基礎と縦基礎の厚みをそれぞれ大小数段づつの厚薄にて打設することを可能にしたことを特徴とする簡易基礎打設用の金具にある。【選択図】図１
2008111323.tif 000002
【特許請求の範囲】
【請求項１】
横長のベース金具の一側上に外側型枠の嵌立て部を設け、該ベース金具の他側上に支柱金具の挿し立て部を間隔を置いて複数個設け、該支柱金具の上半に内側型枠の取付部を設けて、平行立てする内外型枠間の間隔を広狭することと、内側型枠下の開口部の高さを高低することで、コンクリートによる平打基礎と縦基礎の厚みをそれぞれ大小数段づつの厚薄にて打設することを可能にしたことを特徴とする簡易基礎打設用の金具。
【請求項２】
横長のベース金具の一側上に外型枠の嵌立て部を設け、該ベース金具の他側上に支柱金具をボルト止め直立させるボルト穴を間隔を置いて複数個設け、該支柱金具の上端に内型枠を嵌立てする掛金具を被着して、平行直立する内外型枠間の間隔を広狭することと、内型枠下の開口部の高さを高低することで、コンクリートによる平打基礎と縦基礎の厚みをそれぞれ大小数段づつにて打設することを可能にしたことを特徴とする簡易基礎打設用の金具。
【請求項３】
支柱金具、内型枠および掛金具は長短数種にて形成する請求項２に記載の簡易基礎打設用の金具。
【発明の詳細な説明】
【技術分野】
【０００１】
本発明は建築物の基礎構築用等の簡易基礎打設用の金具、詳しくは１種のベース金具にて平打基礎と縦基礎の厚みをそれぞれ大小数段づつの厚薄にてコンクリート打設することを可能とする簡易基礎打設用の金具に関するものである。
【背景技術】
【０００２】
コンクリート基礎構築用の金具としては特開平１０−６０９１０号公報がある。該公報の発明は長短数種のベース金具と、該ベース金具の両側上の固定位置に挿し立て部を設けて２本の支柱金具を挿し立て、該支柱金具のそれぞれに外型枠と内型枠を立て付け、内型枠の下半を開口することで、縦基礎の内側に平打基礎を形成するようにしたことを記載している。
【特許文献１】特開平１０−６０９１０号公報
【発明の開示】
【発明が解決しようとする課題】
【０００３】
しかしながら、上記の公報は先づ地表に敷設するベース金具を長短する２種以上の金具から選択して敷設しなければならないという課題があった。しかも平打基礎の厚みを大小にかえるという構想も構成も一切なかったという課題があった。
【課題を解決するための手段】
【０００４】
本発明は、１種の横長ベース金具の一側上に外型枠の嵌立て部を設け、該ベース金具の他側上に支柱金具のボルト止め部を間隔を置いて複数個設け、該支柱金具の上端に内型枠を嵌立てする掛金具を被着し、内外型枠間の間隔を広狭することと、内型枠下の開口部の高さを高低することで、コンクリートによる平打基礎と縦基礎の厚みをそれぞれ大小数段づつにて変更打設することを可能にして、かかる課題を解決するようにしたのである。
【発明の効果】
【０００５】
本発明は、１種類のベース金具の間隔を置いた敷設にて内外型枠間の間隔を数段にて広狭して直立させることができ、縦基礎の幅厚を多段にて厚，薄して打設することが容易にできるという効果を生ずる。また内型枠下の開口部の高さを高低することが容易にできて、平打基礎の上下の厚みを多段にて変更打設することを可能にするという効果を生ずる。ベース金具が１種ということで簡易基礎の構築用金具の保管と現場への搬送の負担を格段に軽減することができるという効果を生ずる。ベース金具の敷設と内外型枠の直立が容易になるという効果を生ずる。支柱金具をボルト止めすることで、正しく直立して傾斜等が全く生じないという効果を生ずる。
【発明を実施するための最良の形態】
【０００６】
本発明は、１種の横長ベース金具の一側上に外型枠を直立嵌立てする嵌立て部を設け、該ベース金具の他側上に支柱金具を直立させるためのボルト穴を間隔を置いて複数個設け、該支柱金具の上端に内型枠を嵌立てする嵌立て部を有す掛金具を被着し、嵌立て部に嵌めて直立させる外型枠に平行して支柱金具をベース金具に設けた複数個のボルト穴のひとつを選択してボルト止め直立させ、該支柱金具の上端に被着する掛金具の嵌立て部に内型枠を嵌めて外型枠に平行直立させるようにし、該内外型枠間の幅長を支柱金具のボルト止め位置をかえることで広狭幅に変更し、且つ内型枠下の開口部高を高低することで、生コンクリートによる平打基礎と縦基礎のそれぞれを大小数段づつの厚薄にて打設することを可能にしたことを特徴とする簡易基礎打設用の金具にある。
【実施例１】
【０００７】
横長のベース金具１は１種類にて形成し、長手方向の一側端に折立て等にてなる外型枠ａを直立嵌立てする嵌立て部２を設け、他側上に外側と中間と内側の間隔を置いた３個所等に支柱金具４をボルト止め直立させるためのボルト穴３ａ，３ｂ，３ｃを設けてなり、図２に示すように基礎を構築するため締め固めした水平地盤Ａ上の構築線に沿って該ベース金具１を一定の間隔を置いて交叉敷設し、各ベース金具１の外側の嵌立て部２に下端を嵌めて外型枠ａを直立させる。１ａは芯合わせ用のＶ溝、１ｂ，１ｂは直立固定するための釘Ｎ打ちなどの止穴である。
【０００８】
円筒形をした支柱金具４は縦長を長短した２種にて形成し、それぞれの底板４ａ下の中央に溶接またはかしめ加工等によりボルト５を下向きに設けて、選択した長さの支柱金具４のボルト５を各ベース金具１に設けたボルト穴３ａ，３ｂ，３ｃのひとつを選択してボルト５止めして直立固定させる。支柱金具４はボルト５締めにて直立した状態にて固定して、特に外型枠との間で広がり傾くことが全く生じないことになる。支柱金具４の上端には嵌立て部６ａの深さを大小した２種の掛金具６を形成し、そのひとつを選択して角筒形の被着部６ｂを被着固定し、内型枠ｂを嵌立て部６ａに嵌めて直立させる。内外型枠ａ，ｂの上端を水平に揃えてブリッジ部材７を被せ渡して固定し、中間に設けた通孔８ａ，８ｂ間にセパレータ９を通して締め止めする。支柱金具４は円筒形によって横長のベース金具１との間で縁合わせする必要がないのでボルト５を充分に締付けして固定させることができる。また掛金具６の被着部６ｂは角筒形の四辺の内側中間部が支柱金具４の外周の４点に当接することで容易に固定することとなる。しかも掛金具６は支柱金具４が円筒形によって回転させることができるので、内型枠ｂの嵌め付けを容易に進めることができることとなる。
【０００９】
しかして、支柱金具４のボルト５止め直立位置をベース金具１に設けた外側のボルト穴３ａを用いてボルト５止めするときは、外型枠ａと内型枠ｂ間の幅Ｗは最大に広げてコンクリート打設する縦基礎Ｂの幅厚を最大に拡げた部厚にすることになる。支柱金具４を内側のボルト穴３ｃにてボルト５止め直立するときは、幅Ｗは狭まって幅厚を最小とする。このようにして外、中、内のボルト穴よりひとつを選択することで、縦基礎Ｂの幅厚を三段等の厚薄にて打設することができることとなる。なお縦基礎の縦高はブリッジ部材７の押え溝７ａ，７ｂ，７ｃ下の離れた面となる。ボルト５止め直立させる支柱金具４を長短する２種からひとつを選択することと、掛金具６の嵌立て部６ａの深さを大小する２種からひとつを選択し、縦長を長短する４種の内型枠ｂのひとつを選択することで、内型枠ｂの下端と地盤Ａとの間の開口部Ｃの縦高を高低することができて打設する平打基礎Ｄの上下の厚みを大小四段階等にてかえることができることとなる。要するにコンクリート打設する簡易基礎の設計寸法（例えば縦基礎の幅厚を１３５ｍｍ、１５０ｍｍ、１８０ｍｍ、平打基礎の上下の幅厚を１５０ｍｍ、１８０ｍｍ、２００ｍｍ、２２０ｍｍなどとするいずれかの組み合わせ）に合わせて縦長を長短した支柱金具４、内型枠ｂ、掛金具６よりひとつづつを選択し、またボルト穴３を選択して支柱金具４をボルト５止め直立させることで内外型枠間を広狭し、また内型枠ｂ下の開口部Ｃの高さを高低してそれぞれの厚みを厚薄に調整して打設するようにしたのである。ベース金具１のボルト穴の数の増加と、支柱金具４、掛金具６および内型枠ｂの縦長をかえた種類をふやすことによって、さらに多種の幅厚の組み合わせ打設をすることが可能となる。
【００１０】
以上のようにして内外の型枠ａ，ｂをボルト止めを含めて直立させて並列据付けした後、図３に示すように生コンクリートを流し込み打設して内外型枠ａ，ｂ間に一定の縦高（内外型枠の８〜９割程度の高さ）を有す縦基礎Ｂを打設し、内型枠ｂの下端をベースにして該縦基礎Ｂと一体につながった平打基礎Ｄを打設するのである。平打基礎Ｄは内型枠ｂの下端が明瞭なベースゲージとなることで全体を均一厚みにおいて打設することができることとなる。支柱金具４はボルト止めにより直立固定しているので生コンクリートの投入圧によって内型枠ｂが内側に拡がり傾斜することなどは全く生じないこととなる。コンクリートの固化後は、ブリッジ部材７とセパレータ９のボルト９ａを外して内外の型枠ａ，ｂを取り外すのである。ベース金具１と支柱金具４は埋込まれるものとなり、内，外型枠ａ，ｂは再利用することができるものとなる。
【実施例２】
【００１１】
横長のベース金具１１は図６に示すように、長手方向の一側上に折立て等にてなる外型枠ａの嵌立て部１２を設け、他側上の外側と中間と内側の間隔を置いた３個所等に支柱金具１４の挿し立て部１３ａ，１３ｂ，１３ｃを設けた１種にて形成し、断面角Ｃ筒形にて形成する支柱金具１４は下端より突出する脚片１４ａ，１４ｂを有し、支柱金具１４の背面の上半に内型枠ｂの取付部として掛金具１５を掛け止めする掛止孔１４ｃを上下四段等にて設けている。支柱金具は１４は脚片４ａ，４ｂを各ベース金具１の挿し立て部１３ａ，１３ｂ，１３ｃのひとつを選択して挿し止めして直立させ、掛金具１５は掛止孔１４ｃのひとつを選択して掛止爪１５ａを掛け止めして内型枠ｂを嵌め付けて直立させるのである。
【００１２】
支柱金具１４をベース金具１の挿し立て部１３ａ，１３ｂ，１３ｃのひとつを選択して直立させることで外型枠ａと内型枠ｂ間の幅は大小して縦基礎Ｂの厚み、すなわち幅厚を厚薄することとなり、１種の支柱金具１４にて掛金具１５を掛け止めする掛止孔１４ｃの位置を高低することで、内型枠ｂの下端と地盤Ａとの間の開口部Ｃの高さを高低することができて、打設する平打基礎Ｄの打設厚みを上下方向において大小四段階等にてかえることができるようにしたほかは前例と同じである。
【産業上の利用可能性】
【００１３】
本発明は、１種類のベース金具を地表上に敷設することと、上下長の異なる支柱金具、掛金具および内型枠を選択することで縦基礎の幅厚と平打基礎の厚みを数段階にて厚薄打設することのできる簡易基礎の構築打設に広く利用することができるものである。
【図面の簡単な説明】
【００１４】
【図１】（ａ）は外型枠と内型枠の設置例を示す説明図、（ｂ）は縦基礎と平打基礎の厚みを最大にして形成した例を示す部分断面図、（ｃ）は同、中間の厚みに形成した例、（ｄ）は同、最小の厚みに形成した例、（ｅ）は縦基礎の厚さを最小、平打基礎の厚みを最大に調整して打設した例を示す断面図
【図２】ベース金具を地盤上に敷設し、支柱金具をボルト止めにて直立固定して内型枠の掛金具を上端に被着し、一部に内外型枠を嵌付け直立させた状態を示す斜視図
【図３】生コンクリートを流し込み打設した状態を示す部分拡大断面図
【図４】１種のベース金具と２種の支柱金具，掛金具を各別に示す斜視図
【図５】（ａ）支柱金具のボルト止め位置の切替えにより縦基礎の幅厚をかえる例の説明図、（ｂ）は長短２種の支柱金具と大小２種の掛金具の組合わせにて平打基礎の上下の厚みをかえる例の説明図
【図６】第２実施例の金具を示すもので、ベース金具と支柱金具および内型枠の嵌立て用の掛金具を組付け前の状態にて示す斜視図
【符号の説明】
【００１５】
１はベース金具
１ａは芯合わせ用のＶ溝
１ｂは止穴
２は外型枠の嵌立て部
３ａ，３ｂ，３ｃは支柱金具の直立固定用のボルト穴
４は支柱金具
４ａは底板
５はボルト
６は内型枠用の掛金具
６ａは嵌立て部
６ｂは被着部
７はブリッジ部材
７ａ，７ｂ，７ｃは内型枠の押え溝
７ｄは外型枠の押え溝
８ａ，８ｂは通孔
９はセパレータ
９ａはセパレータのボルト
１１はベース金具
１２は外型枠の嵌立て部
１３ａ，１３ｂ，１３ｃは支柱金具の挿し立て部
１４は支柱
１４ａ，１４ｂは脚片
１４ｃは数段に設けた掛止孔
１５は内型枠嵌立て用の掛金具
ａは外型枠
ｂは内型枠
Ａは基礎を構築する地盤
Ｂは縦基礎
Ｃは内側型枠下の開口部
Ｄは平打基礎
Ｎは釘
Ｗは内，外型枠間の幅
【図１】
2008111323.tif 000003
【図２】
2008111323.tif 000004
【図３】
2008111323.tif 000005
【図４】
2008111323.tif 000006
【図５】
2008111323.tif 000007
【図６】
2008111323.tif 000008